(57)【要約】【課題】  本発明は、遊技機障害釘間隔測定装置に水準器が付いていなくても、水平方向および左右回転方向の二つの要素に対して注意するだけで、正確な遊技機障害釘間隔を測定できる。【解決手段】  遊技機障害釘間隔を測定するに際し、遊技球とほぼ同じ大きさで、二つに分割されている分割球は、たとえば、バネの力により広げられて遊技機障害釘の内法に接触する。その後、前記ナイフ状接触子下端部に形成された弧状部は、前記分割球の中心位置が遊技基板からの高さ方向において、ほぼ一致するようになっているため、遊技機障害釘に接触させた状態で、前記測定杆がピッチング方向に変化しても、遊技機障害釘間隔を正確に測定することができる。【選択図】  図４
2005137659.tif 000002
【特許請求の範囲】
【請求項１】
遊技機障害釘を遊技基板面に備えている遊技機における遊技機障害釘間隔測定方法において、
遊技球とほぼ同じ大きさで、測定杆の先端部に取り付けられ、二つに分割されている分割球を遊技機障害釘の内法に接触させ、
前記分割球の中心と一致する高さに取り付けられ、ナイフ状接触子先端部に形成された弧状部を遊技機障害釘の内法に接触させた状態で、前記測定杆のピッチング方向の変化に関係なく遊技機障害釘間隔を測定することを特徴とする遊技機障害釘間隔測定方法。
【請求項２】
遊技機障害釘を遊技基板面に備えている遊技機における遊技機障害釘間隔測定装置において、
遊技機障害釘の内法に接触するとともに、遊技球とほぼ同じ大きさで、二つに分割されている分割球からなる接触ゲージと、
前記分割球の両側部に取り付けられたナイフ状接触子と、
前記分割球の中心とほぼ一致する高さで、前記ナイフ状接触子先端部に形成された弧状部と、
を少なくとも備えていることを特徴とする遊技機障害釘間隔測定装置。
【請求項３】
遊技機障害釘を遊技基板面に備えている遊技機における遊技機障害釘間隔測定装置において、
遊技機障害釘の内法に接触するとともに、遊技球とほぼ同じ大きさで、二つに分割されている分割球からなる接触ゲージと、
前記分割球の両側部に取り付けられたナイフ状接触子と、
前記分割球の中心とほぼ一致する高さで、前記ナイフ状接触子先端部に形成された弧状部と、
前記接触ゲージを支持する二本の測定杆と、
前記測定杆の間隔を釘幅に変換するエンコーダと、前記エンコーダのデータを記憶するメモリと、前記エンコーダのデータを処理するとともにホストコンピュータに伝達するための通信機能を有するＣＰＵと、からなる測定機本体と、
を少なくとも備えていることを特徴とする遊技機障害釘間隔測定装置。
【請求項４】
前記測定杆は、測定機本体と着脱自在に構成されていることを特徴とする請求項２または請求項３に記載された遊技機障害釘間隔測定装置。
【請求項５】
前記接触ゲージは、前記遊技基板面と接する部分、および前記ナイフ状接触子を取り付ける部分が球状であり、その上下部が切り取られた球柱状であることを特徴とする請求項２ないし請求項４のいずれか１項に記載された遊技機障害釘間隔測定装置。
【請求項６】
前記接触ゲージは、一方が固定されているとともに他方が摺動自在に構成されているナイフ状接触バーからなることを特徴とする請求項２ないし請求項５のいずれか１項に記載された遊技機障害釘間隔測定装置。
【請求項７】
前記接触ゲージは、一方が固定されているとともに他方が摺動溝内で摺動自在に構成されているナイフ状接触バーの上を押圧するバネ部材が備えられていることを特徴とする請求項２ないし請求項６のいずれか１項に記載された遊技機障害釘間隔測定装置。
【請求項８】
前記ナイフ状接触子は、強度が保てる限り、薄く形成されていることを特徴とする請求項２ないし請求項７のいずれか１項に記載された遊技機障害釘間隔測定装置。
【請求項９】
前記ナイフ状接触子先端部における弧状部は、強度が保てる限り、小さいことを特徴とする請求項２ないし請求項８のいずれか１項に記載された遊技機障害釘間隔測定装置。
【請求項１０】
前記分割球の中心と前記ナイフ状接触子先端部における弧状部の中心の遊技基板面からの高さがほぼ一致することを特徴とする請求項２ないし請求項９のいずれか１項に記載された遊技機障害釘間隔測定装置。
【発明の詳細な説明】
【技術分野】
【０００１】
本発明は、遊技基板面に植設された遊技機障害釘を有する遊技機の遊技機障害釘間隔を測定する遊技機障害釘間隔測定方法および遊技機障害釘間隔測定装置に関するものである。本発明は、特に、パチンコ遊技機等における遊技機障害釘間隔の測定に際し、接触ゲージがピッチング方向に変化しても、遊技機障害釘間隔を正確に測定することができるものである。本明細書において、前記パチンコ遊技機等を単に遊技機障害釘を有する遊技機と記載する。
【背景技術】
【０００２】
遊技機用の遊技機障害釘は、基板面に数百本植設されており、１０本から２０本程度のパチンコ球が入賞するか否かを決定するいわゆる命釘、パチンコ球の通り道を決定する道釘、パチンコ球をジャンプさせて方向を転換させるジャンプ釘等からなる。
【０００３】
前記命釘、道釘、ジャンプ釘となる遊技機障害釘は、遊技基板面に対して、いろいろな方向や傾斜角度となるように曲げられて、遊技場と顧客の収益の調和が計られている。しかし、遊技機障害釘は、特殊な能力を持つ釘師の勘により、１００分の１ｍｍ程度の単位で調整が行われていた。前記釘師は、一人前になるのに、１０年から２０年以上かかるといわれている。
【０００４】
前記釘師は、前記遊技機障害釘の頭を左右前後方向（３６０度）に打つことにより、遊技基板面に対する遊技機障害釘の方向と傾斜角度（財団法人保安電子通信技術協会では、「何時方向に何度」という表現を行っている。）が異なるように曲げて、パチンコ球の通過を難しくしたり、あるいは通過を容易にするように調整している。
【０００５】
前記遊技機障害釘の間隔は、遊技機障害釘の頭部を打ち、遊技基板面に対する方向と傾斜角度を何時方向に何度というように変えることにより、遊技基板面から高さ方向の中間部（５．５ｍｍの高さ）の内法寸法において、パチンコ球の直径部分（最厚部）が通過または非通過となるようにする必要がある。
【０００６】
遊技機障害釘間隔を調整する者は、たとえば、多数植設された遊技機障害釘の中の二本（前記命釘）に注目し、接触ゲージ（測定装置の先端部）を当接して、前記遊技機障害釘間隔（内法寸法）をアナログ的に測定する。しかし、前記測定者は、多数複雑な方向と傾斜角度で植設された遊技機障害釘の中で、前記測定装置をいくら上手に扱っても、正確に測定することができなかった。
【０００７】
すなわち、二本の遊技機障害釘間隔は、前記接触ゲージの当て方次第で寸法が異なってしまう。また、遊技基板面の上には、遊技機障害釘以外に、複数個の入賞装置（役もの）、風車、ランプ等が存在しており、これらが邪魔になるため、二本の遊技機障害釘の所定の高さ（遊技基板面上から５．５ｍｍの高さ）における間隔を正しく測定することが困難であった。
【０００８】
前記遊技機障害釘間隔の測定装置は、たとえば、実開平３−３３３０２号公報に記載されているようなパチンコボール型の分割球が付いているもので、所定の高さ方向の間隔をアナログ的に測定するものがあった。図９は従来例における遊技機障害釘間隔を測定する測定装置を説明するための図である。
【０００９】
図９において、遊技機障害釘間隔測定装置５０は、遊技機障害釘間隔をアナログ的に表示するゲージ体５５と、前記ゲージ体５５に設けられ、互いに反対方向に押し合っている測定杆５３、５４と、前記それぞれの測定杆５３、５４の先端部に設けられた測定ピン５６、５７を備えた分割球５１、５２とから構成されている。
【００１０】
また、前記測定ピン５６、５７は、前記分割球５１、５２の中心からずれる位置で、測定する際に、遊技機障害釘の中心になるように設けられている。以下、前記分割球５１、５２、および測定ピン５６、５７を単に接触ゲージと記載する。また、前記接触ゲージを使用した遊技機障害釘間隔の測定装置は、たとえば、特開平６−９８９７５号公報に記載されているようにディジタルデータとして測定できるものもある。
【００１１】
図１０は従来例における遊技機障害釘と測定ピンとの関係を説明するための図で、遊技基板の垂直方向から見た図である。図１１は図１０の拡大図で、遊技基板の横方向から見た図である。図１０および図１１において、分割球５１、５２は、測定杆５３を押しながら遊技機障害釘１２、１２′の間に配置した後、バネと測定ピン５６、５７とにより遊技機障害釘１２、１２′の内法に接触させる。
【００１２】
前記測定ピン５６、５７は、その下部が遊技機障害釘１２、１２′の上に接触することで、ゲージ体５５（図９参照）に遊技機障害釘１２、１２′の間隔がアナログ的に表示される。
【００１３】
【特許文献１】実開平３−３３３０２号公報
【特許文献２】特開平６−９８９７５号公報
【発明の開示】
【発明が解決しようとする課題】
【００１４】
前記遊技機障害釘間隔測定装置は、前記遊技機障害釘の内法に前記接触ゲージを接触させることにより、前記遊技機障害釘間隔を測定することができる。前記遊技機障害釘間隔測定装置の接触ゲージは、遊技基板面に対してほぼ垂直であっても、平行な遊技機障害釘を測定する場合、水平方向のずれ（ヨーイング）および左右回転方向のずれ（ローリング）について気を付ける必要がある。  
【００１５】
前記水平方向および左右回転方向のずれに対して気を付けて測定する場合、前記接触ゲージは、通常、手さぐり（触診）で行っていた。前記接触ゲージは、前記水平方向および左右回転方向を手さぐり（両方の測定ピンが遊技機障害釘に同時に接触しているか否か）で確かめた後、比較的正しい位置に配置することができる。
【００１６】
しかし、遊技機障害釘は、平行なものはほとんどなく、「ハ」または逆「ハ」字状や斜め方向にねじ曲げられている場合が多い。このような場合、前記接触ゲージは、前記水平方向および左右回転方向を手さぐりで確かめた後、比較的正しい位置に配置することができるが、前後方向（ピッチング）の傾きを正すことができない。
【００１７】
図１１に示すように、測定杆５３がピッチング方向にずれ、測定杆５３′の位置にずれた場合、測定ピン５６（５７）の中心が分割球５１（５２）の遊技基板面からの高さ方向の中心と一致していないため、すなわち、測定ピン５６（５７）は、分割球５１（５２）の中心である点５８を中心に回転して、測定ピン５６′（５７′）の位置にずれる。前記遊技機障害釘１２（１２′）が平行な場合、前記測定ピン５６（５７）が測定ピン５６′（５７′）の位置にずれても遊技機障害釘１２（１２′）の間隔は同じである。
【００１８】
しかし、前記遊技機障害釘１２（１２′）は、一般的に何時方向に何度といったように、傾斜角度が付けられている。このように傾斜した遊技機障害釘は、ピッチング方向に遊技機障害釘間隔測定装置を変えた場合、正確な距離を測定することができないという問題があった。
【００１９】
そこで、遊技機障害釘間隔測定装置には、水準器を設け、水準器を見ながら、前記接触ゲージを前後方向に、そして、手さぐりで水平方向、左右回転方向に配置していた。すなわち、前記遊技機障害釘間隔の測定は、前記接触ゲージの配置を前後方向、水平方向、および左右回転方向という三つの要素に対して注意を払いながら測定する必要があった。遊技機障害釘間隔の測定は、測定すべき遊技機障害釘の高さが高い場合、斜め方向からしか水準器が見えない場合、あるいは、ほぼ垂直方向に植設された二本の遊技機障害釘の場合等があり、水準器を備えていても、役に立たない場合がある。
【００２０】
水準器を付けた遊技機障害釘間隔測定装置は、前記接触ゲージを簡単に水平位置に配置できる場合であっても、前記三つの要素（ピッチング、ローリング、およびヨーイング）を満たすために、時間と熟練等が必要であり、測定する者によって、測定誤差が出てしまうという問題が多くあった。
【００２１】
以上のような課題を解決するために、本発明は、遊技機障害釘間隔測定装置に水準器が付いていなくても、水平方向および左右回転方向の二つの要素（ローリングとヨーイング）に対して触診するだけで、正確な遊技機障害釘間隔を測定できる遊技機障害釘間隔測定方法および遊技機障害釘間隔測定装置を提供することを目的とする。
【課題を解決するための手段】
【００２２】
（第１発明）
第１発明の遊技機障害釘間隔測定方法は、遊技機障害釘を遊技基板面に備えている遊技機において、遊技球とほぼ同じ大きさで、測定杆の先端部に取り付けられ、二つに分割されている分割球を遊技機障害釘の内法に接触させ、前記分割球の中心と一致する高さに取り付けられ、ナイフ状接触子先端部に形成された弧状部を遊技機障害釘の内法に接触させた状態で、前記測定杆のピッチング方向の変化に関係なく遊技機障害釘間隔を測定することを特徴とする。
【００２３】
（第２発明）
第２発明の遊技機障害釘間隔測定装置は、遊技機障害釘を遊技基板面に備えている遊技機において、遊技機障害釘の内法に接触するとともに、遊技球とほぼ同じ大きさで、二つに分割されている分割球と、前記分割球の両側部に取り付けられたナイフ状接触子と、前記分割球の中心とほぼ一致する高さで、前記ナイフ状接触子先端部に形成された弧状部と、を少なくとも備えていることを特徴とする。
【００２４】
（第３発明）
第３発明の遊技機障害釘間隔測定装置は、遊技機障害釘を遊技基板面に備えている遊技機において、遊技機障害釘の内法に接触するとともに、遊技球とほぼ同じ大きさで、二つに分割されている分割球からなる接触ゲージと、前記分割球の両側部に取り付けられたナイフ状接触子と、前記分割球の中心とほぼ一致する高さで、前記ナイフ状接触子先端部に形成された弧状部と、前記接触ゲージを支持する二本の測定杆と、前記測定杆の間隔を釘幅に変換するエンコーダと、前記エンコーダのデータを記憶するメモリと、前記エンコーダのデータを処理するとともにホストコンピュータに伝達するための通信機能を有するＣＰＵと、からなる測定機本体と、を少なくとも備えていることを特徴とする。
【００２５】
（第４発明）
第４発明の遊技機障害釘間隔測定装置において、測定杆は、測定機本体と着脱自在に構成されていることを特徴とする。
【００２６】
（第５発明）
第５発明の遊技機障害釘間隔測定装置において、接触ゲージは、前記遊技基板面と接する部分、および前記ナイフ状接触子を取り付ける部分が球状であり、その上下部が切り取られた球柱状であることを特徴とする。
【００２７】
（第６発明）
第６発明の遊技機障害釘間隔測定装置において、接触ゲージは、一方が固定されているとともに他方が摺動自在に構成されているナイフ状接触バーからなることを特徴とする。
【００２８】
（第７発明）
第７発明の遊技機障害釘間隔測定装置において、接触ゲージは、一方が固定されているとともに他方が摺動溝内で摺動自在に構成されているナイフ状接触バーの上を押圧するバネ部材が備えられていることを特徴とする。
【００２９】
（第８発明）
第８発明の遊技機障害釘間隔測定装置において、ナイフ状接触子は、強度が保てる限り、薄く形成されていることを特徴とする。
【００３０】
（第９発明）
第９発明の遊技機障害釘間隔測定装置において、ナイフ状接触子先端部における弧状部は、強度が保てる限り、小さいことを特徴とする。
【００３１】
（第１０発明）
第１０発明の遊技機障害釘間隔測定装置は、前記分割球の中心と前記ナイフ状接触子先端部における弧状部の中心の遊技基板面からの高さがほぼ一致することを特徴とする。
【発明の効果】
【００３２】
本発明によれば、分割球の遊技基板面からの高さ方向の中心と、分割球に設けられたナイフ状接触子の下端部を同じ高さにしたため、測定杆がピッチング方向に対して変化しても、遊技機障害釘間隔を正確に測定することが可能になった。
【００３３】
本発明によれば、測定杆のピッチング方向の変化がナイフ状接触子の下端部で遊技機障害釘と接触する部分での回転となるため、遊技機障害釘間隔を正確に測定することが可能になった。
【００３４】
本発明によれば、前記ナイフ状接触子の下端部の径をできるだけ小さくしたため、測定杆がピッチング方向に変化しても、遊技機障害釘間隔の測定誤差を最小にすることが可能になった。
【００３５】
本発明によれば、分割球に設けられたナイフ状接触子の下端部に弧状部を作製することで遊技機障害釘間隔をより正確に測定することが可能になった。
【００３６】
本発明によれば、遊技機障害釘の並び方や役もの等が障害となって正確な測定ができない場合、形状の異なる接触ゲージあるいはナイフ状エッジに、測定機本体から測定杆ごと交換することができるので、正確な測定ができる。
【００３７】
本発明によれば、正確な遊技機障害釘間隔のデータを得ることができるため、ホストコンピュータによって、パチンコホールの経営に対する健全な管理を行うことが容易になった。
【発明を実施するための最良の形態】
【００３８】
（第１発明）
第１発明の遊技機障害釘間隔測定方法は、遊技機の遊技基板面に植設されている遊技機障害釘間隔を測定するものであり、分割球のピッチング方向の変化に関係なく、すなわち、水準器を備えることなく、遊技機障害釘間隔を正確に測定することができる。
【００３９】
遊技機障害釘間隔を測定するに際し、遊技球とほぼ同じ大きさで、二つに分割されている分割球は、たとえば、バネの力により広げられて遊技機障害釘の内法に接触する。その後、前記ナイフ状接触子先端部に形成された弧状部は、前記分割球の中心位置とが遊技基板からの高さ方向において、ほぼ一致するようになっているため、遊技機障害釘に接触させた状態で、前記測定杆がピッチング方向に変化しても、遊技機障害釘間隔を正確に測定することができる。
【００４０】
第１発明は、前記分割球の中心と、前記弧状部の中心とが高さ方向において、ほぼ一致するため、前記測定杆を分割球の中心からピッチッグ方向に変化させても、遊技機障害釘間隔を同じ距離として測定することができる。
【００４１】
（第２発明）
第２発明の遊技機障害釘間隔測定装置は、遊技機の遊技基板面に植設されている遊技機障害釘間隔を測定するものであり、二つに分割されている分割球と、前記分割球に形成されたナイフ状接触子と、前記ナイフ状接触子先端部に形成された弧状部とから構成され、前記測定杆のピッチング方向の変化に関係なく、すなわち、水準器を備えることなく、遊技機障害釘間隔を正確に測定することができるものである。
【００４２】
前記分割球は、遊技球とほぼ同じ大きさで、二つに分割された球の幅を広げることにより、遊技機障害釘の内法に接触する。前記ナイフ状接触子は、前記測定杆の両側部に取り付けられている。前記ナイフ状接触子先端部に形成された弧状部は、遊技基板の高さ方向において、前記分割球の中心の高さとほぼ一致している。
【００４３】
（第３発明）
第３発明の遊技機障害釘間隔測定装置は、前記第２発明の構成要件以外に、接触ゲージを支持する二本の測定杆と、前記測定杆の間隔を釘幅に変換するエンコーダと、前記エンコーダのデータを演算・記憶するメモリと、前記エンコーダのデータをホストコンピュータに伝達するための通信機能を有する測定機本体と、を少なくとも備えている。前記遊技機障害釘間隔測定装置によって測定された遊技機障害釘間隔データは、パチンコ台毎にホストコンピュータに送信され、その日における出玉データ等が経営情報として管理される。
【００４４】
（第４発明）
第４発明の遊技機障害釘間隔測定装置は、接触ゲージを備えている測定杆が測定機本体と着脱自在に構成されている。第４発明は、測定杆が着脱自在に交換できるため、通常の接触ゲージでは正確に測定できない遊技機障害釘間隔を異なる形状の接触ゲージを用いて正確に測定することができる。
【００４５】
（第５発明）
第５発明の遊技機障害釘間隔測定装置は、接触ゲージが遊技基板面と接する部分、および前記ナイフ状接触子を取り付ける部分が球状であり、その上下部が切り取られた球柱状に形成されている。球を分割した接触ゲージは、その上下方向において、高いため、測定し難い場合がある。そこで、上下方向を切り取った形状とした第５発明は、第４発明のように測定杆を着脱自在としているため、前記のような形状の異なる接触ゲージを取り付けて、パチンコ遊技基板におけるあらゆる場所に対応できるようにしている。
【００４６】
（第６発明）
第６発明の遊技機障害釘間隔測定装置は、接触ゲージの一方が固定されており、前記接触ゲージの他方が摺動自在にできる構成になっている。また、前記接触ゲージに付ける接触子は、ナイフ状接触バーからなっている。すなわち、前記接触ゲージは、遊技機障害釘の内法に正確に接触させる際に安定した状態にすることが容易にできる。
【００４７】
（第７発明）
第７発明の遊技機障害釘間隔測定装置は、ナイフ状接触バーが摺動溝内を摺動自在に移動しており、前記ナイフ状接触バーが浮くのを防止するために、ナイフ状接触バーの上を押圧するバネ部材が備えられている。
【００４８】
（第８発明）
第８発明のナイフ状接触子は、強度が保てる程度で、限りなく薄く形成されている。前記ナイフ状接触子は、厚さが薄い場合、遊技基板の高さ方向において、分割球の中心の高さとほぼ一致するため、測定杆がピッチング方向に変化しても、遊技機障害釘間隔に誤差がほとんど発生しない。
【００４９】
（第９発明）
第９発明において、ナイフ状接触子先端部における弧状部は、強度が保てる程度で、限りなく小さく形成されている。前記弧状部が点になった場合、遊技基板の高さ方向において、分割球の中心の高さと完全に一致するため、測定杆がピッチング方向に変化しても、遊技機障害釘間隔に誤差が発生しない。
【００５０】
（第１０発明）
第１０発明は、前記分割球の中心と、遊技基板の高さ方向において、前記ナイフ状接触子先端部における弧状部の中心と高さをほぼ一致させることにより、前記測定杆がピッチング方向に変化しても、遊技機障害釘間隔を正確に測定することができる。
【実施例１】
【００５１】
図１（イ）ないし（ハ）は本発明の実施例である遊技機障害釘間隔を測定する測定杆が上方に３０度ずれた場合を説明するための模式図である。図２（イ）ないし（ハ）は本発明の実施例である遊技機障害釘間隔を測定する測定杆が真上から接触している場合を説明するための模式図である。図３（イ）ないし（ハ）は本発明の実施例である遊技機障害釘間隔を測定する測定杆が下方に３０度ずれた場合を説明するための模式図である。
【００５２】
図示されていない、２本の測定杆の先端には、分割球１３のそれぞれが取り付けられている。図２（イ）ないし（ハ）において、分割球１３は、ナイフ状接触子１４の下端部１５が遊技基板１１の上から５．５ｍｍの位置に設けられており、前記ナイフ状接触子１４の下端部１５と分割球１３の中心が同じ位置になるように設けられている。
【００５３】
また、分割球１３に設けられたナイフ状接触子１４の下端部１５は、所定の幅を有する弧から構成されている。分割球１３とナイフ状接触子１４の下端部１５とによって規定される遊技機障害釘１２、１２′の間隔は、図示されていない、測定杆を介して遊技機障害釘間隔測定装置によって測定される。
【００５４】
図２（イ）において、遊技基板１１に植設された遊技機障害釘１２の間には、分割球１３が入り、前記分割球１３に設けられているナイフ状接触子１４の下端部１５が遊技機障害釘１２の上に接している。前記ナイフ状接触子１４は、図２（イ）から判るように、下端部１５がクサビ状に成形されているとともに、先端ができるだけ小さい弧から構成されている。
【００５５】
また、前記ナイフ状接触子１４は、図２（ロ）および（ハ）から判るように、所定の幅を有する。前記ナイフ状接触子１４の厚さおよび幅は、繰り返す遊技機障害釘間隔の測定に耐える強度を得るためのものである。
【００５６】
図１（イ）ないし（ハ）は、図示されていない、測定杆が３０度上方に向けられて測定した場合であり、図３（イ）ないし（ハ）は、同じく、前記測定杆が３０度下方にむけられて測定した場合である。前記測定杆は、ピッチング方向にずれても、分割球１３の中心とナイフ状接触子１４の下端部（先端部）１５が遊技基板面からの高さ方向において、ほぼ同じ高さになっているため、遊技機障害釘間隔の測定誤差がほとんどなくなる。
【００５７】
図４は本発明の実施例で、測定杆が上方から遊技機障害釘に接触している場合の例を説明するための拡大図である。図４において、測定杆４１は、遊技基板１１に対して垂直で、遊技機障害釘１２とほぼ平行に挿入されている。この場合における分割球１３に設けられたナイフ状接触子１４の下端部１５は、前記分割球１３の中心と同じ高さであると同時に、遊技機障害釘１２の上面に接するように位置している。
【００５８】
前記測定杆４１を上方位置から配置した場合、前記測定杆４１′は、二点鎖線の位置に移動するとともに、前記ナイフ状接触子１４′のように傾斜する。しかし、ナイフ状接触子１４′の下端部１５は、分割球１３の中心と同じ高さにあるため、遊技機障害釘１２の上で回転するだけであり、図１１に示す従来例のように移動することがない。
【００５９】
厳密には、分割球１３の中心を通る線は、遊技機障害釘１２の上面と一致し、ナイフ状接触子１４の下端部１５の弧の中心を通る線４２と僅かに異なっている。しかし、前記下端部１５の弧をできるだけ小さくすること、および測定杆４１′の傾斜が数度であることから、ほとんど誤差がないといっても差し支えない。
【実施例２】
【００６０】
図５は本発明の第二実施例であり、接触ゲージを説明するための斜視図である。第二実施例は、分割球の形状が第一実施例と異なっている。すなわち、接触ゲージ２３は、前記遊技基板面と接する部分、および前記ナイフ状接触子１４を取り付ける部分が分割された球状になっている。また、前記接触ゲージ２３の上端部と下端部が切り取られた柱状（測定に必要な部分は、球状であり、高さまたは厚さをできるだけ薄くしている。）である。
【００６１】
前記第二実施例は、測定杆４１、４１′が測定杆連結部２９、および締結用孔２９１を用いて、後述する測定機本体から着脱自在とすることができる。すなわち、第二実施例は、遊技盤面に障害物がある場合、接触ゲージの形状を変えることができるため、どのような状態の遊技機障害釘間隔であっても、正確に測定することができる。
【実施例３】
【００６２】
図６は本発明の第三実施例であり、接触ゲージを説明するための斜視図である。第三実施例は、接触ゲージ２３において、ナイフ状接触バー２４を備えている点で第一および第二実施例と異なっている。前記ナイフ状接触バー２４は、下方が第一実施例と同様に下端部が薄く尖った弧状からなるナイフ状エッジ２５を有するバーからなる。
【００６３】
前記ナイフ状接触バー２４は、一方が固定部２６において固定され、他方が摺動溝２７を摺動できるようになっている。前記測定杆４１、４１′は、前記ナイフ状接触バー２４により、開放状態が制限されるため、機械的に安定して遊技機障害釘間隔を測定することができる。
【実施例４】
【００６４】
図７は本発明の第四実施例であり、接触ゲージを説明するための斜視図である。第四実施例は、ナイフ状接触バー２４の一方が固定されているとともに、他方が摺動溝２７内を摺動自在に移動できる構造になっているとともに、前記ナイフ状接触バー２４の上を押圧する押さえバネ２８が備えられている。前記ナイフ状接触バー２４は、水平方向の動きが固定部２６と摺動溝２７によって制限されるが、上下方向が浮いてしまう恐れがあった。第四実施例は、前記押さえバネ２８によって、前記欠点を補っている。
【００６５】
図８は第一実施例から第四実施例における接触ゲージを備えた測定杆を取り付けた遊技機障害釘間隔測定装置を説明するための概略図である。図８において、遊技機障害釘間隔測定装置は、測定機本体３０と、接触ゲージ３１とから構成されている。また、前記接触ゲージ３１は、第一実施例ないし第四実施例において説明した構成のものである。
【００６６】
前記測定機本体３０は、前記測定杆４１、４１′の間隔を釘幅に変換するエンコーダ３３と、前記エンコーダ３３のデータを記憶・演算処理するメモリ機能付きＣＰＵ３４と、前記エンコーダ３３のデータを処理するとともにホストコンピュータに伝達するためのホストコンピュータ通信機能３５を有する。
【００６７】
さらに、前記測定機本体３０は、ＬＣＤ表示部および入力するためのキーボード３６、およびバッテリー３７を備えている。測定機本体３０および接触ゲージ３１は、必要な遊技機障害釘に接触させて、間隔データ測定する。前記測定によって得られたデータは、メモリ機能付きＣＰＵ３４のメモリに一旦入力される。前記データは、パチンコ遊技機毎にホストコンピュータ通信機能３５によって図示されていないホストコンピュータへ送信される。
【００６８】
前記ホストコンピュータは、前記遊技機障害釘間隔データと、パチンコ遊技機と、当該パチンコ遊技機の出玉データ等を日毎あるいは時間毎に管理して、経営情報として役立てることができる。
【００６９】
本実施例は、接触ゲージの形状が異なるものを測定杆から交換している。しかし、他の実施例として、前記測定杆は、その形状を変えたものが複数組準備されており、遊技機障害釘の植設態様に応じた形状のものに交換することにより、遊技機障害釘間隔をより正確に測定することができる。たとえば、前記測定杆の形状は、内側に湾曲または折り曲げたり、あるいは下方向に湾曲または折り曲げたものを準備しておくと良い。
【産業上の利用可能性】
【００７０】
以上、本発明の実施例を詳述したが、本発明は、前記実施例に限定されるものではない。そして、本発明は、特許請求の範囲に記載された事項を逸脱することがなければ、種々の設計変更を行うことが可能である。本実施例におけるナイフ状接触子の幅や弧の形状は強度を保てればできるだけ小さいものである。
【００７１】
また、分割球は、ほぼ５．５ｍｍであり、その分割の仕方は、特に限定されない。また、本発明の遊技機障害釘間隔測定装置は、公知または周知のものを使用することができる。分割球とナイフ状接触子との取り付けは、公知または周知の手段で行うことができるが、金型等により作製するのも一つである。
【図面の簡単な説明】
【００７２】
【図１】（イ）ないし（ハ）は本発明の実施例である遊技機障害釘間隔を測定する測定杆が上方に３０度ずれた場合を説明するための模式図である。（実施例１）
【図２】（イ）ないし（ハ）は本発明の実施例である遊技機障害釘間隔を測定する測定杆が真上から接触している場合を説明するための模式図である。
【図３】（イ）ないし（ハ）は本発明の実施例である遊技機障害釘間隔を測定する測定杆が下方に３０度ずれた場合を説明するための模式図である。
【図４】本発明の実施例で、測定杆が上方から遊技機障害釘に接触している場合の例を説明するための拡大図である。
【図５】本発明の第二実施例であり、接触ゲージを説明するための斜視図である。（実施例２）
【図６】本発明の第三実施例であり、接触ゲージを説明するための斜視図である。（実施例３）
【図７】本発明の第四実施例であり、接触ゲージを説明するための斜視図である。（実施例４）
【図８】第一実施例から第四実施例における接触ゲージを備えた測定杆を取り付けた遊技機障害釘間隔測定装置を説明するための概略図である。
【図９】従来例における遊技機障害釘間隔を測定する測定装置を説明するための図である。
【図１０】従来例における遊技機障害釘と測定ピンとの関係を説明するための図で、遊技基板の垂直方向から見た図である。
【図１１】図１０の拡大図で、遊技基板の横方向から見た図である。
【符号の説明】
【００７３】
１１・・・遊技基板
１２、１２′・・・遊技機障害釘
１３・・・分割球
１４・・・ナイフ状接触子
１５・・・下端部（ナイフ状エッジ）
２３・・・接触ゲージ（球柱状ゲージ）
２４・・・ナイフ状接触バー
２５・・・ナイフ状エッジ
２６・・・（ナイフ状接触バー）固定部
２７・・・（ナイフ状接触バー）摺動溝
２８・・・押さえバネ
２９・・・測定杆連結部
２９１・・・測定杆固定部
４１、４１′・・・測定杆
３０・・・測定機本体
３１・・・接触ゲージ
３２・・・バネ
３３・・・（釘幅測定用）エンコーダ
３４・・・メモリ機能付きＣＰＵ
３５・・・ＬＣＤ表示部および入力するためのキーボード
３６・・・ホストコンピュータ通信機能
３７・・・バッテリー
【図１】
2005137659.tif 000003
【図２】
2005137659.tif 000004
【図３】
2005137659.tif 000005
【図４】
2005137659.tif 000006
【図５】
2005137659.tif 000007
【図６】
2005137659.tif 000008
【図７】
2005137659.tif 000009
【図８】
2005137659.tif 000010
【図９】
2005137659.tif 000011
【図１０】
2005137659.tif 000012
【図１１】
2005137659.tif 000013